(57)【要約】【課題】  簡単な構成で格子ユニットの上下長さ以上の上下長さの格子の外観となるような構造とすることができると共に上下長さの長い格子の外観としても防水上の問題がない。【解決手段】  バルコニー梁１の外面部に化粧幕板２を取付ける。化粧幕板２の上部にバルコニー梁１側に凹んだ段部３を形成する。格子枠４の外面に格子５を取付けて格子ユニット６を構成する。バルコニー梁１の上面部に格子ユニット６を立設する。化粧幕板２の段部３の外面側にダミー格子８を配設する。格子ユニット６の外面の格子５の下位置に上記ダミー格子８を上下方向に連続させる。【選択図】      図１
2006037682.tif 000002
【特許請求の範囲】
【請求項１】
バルコニー梁の外面部に化粧幕板を取付け、該化粧幕板の上部にバルコニー梁側に凹んだ段部を形成し、格子枠の外面に格子を取付けて構成した格子ユニットをバルコニー梁の上面部に立設し、化粧幕板の段部の外面側にダミー格子を配設し、格子ユニットの外面の格子の下位置に上記ダミー格子を上下方向に連続させて成ることを特徴とする格子付きバルコニーの構造。
【請求項２】
格子枠の下横枠外面の下端に化粧幕板の上部の段部の外面の上端を位置させて格子枠の下横枠外面と化粧幕板の上部の段部の外面とを面一に連続させ、段部の外面に配設したダミー格子の上部を段部よりも上方に突出させて該ダミー格子の上部を下横枠外面に配設して成ることを特徴とする請求項１記載の格子付きバルコニーの構造。
【発明の詳細な説明】
【技術分野】
【０００１】
本発明は、格子付きバルコニーの構造、より詳しくは上下高さが高い格子を備えたバルコニーを構成するための技術に関するものである。
【背景技術】
【０００２】
従来からバルコニーには袖壁を形成してあるが、バルコニーの外観を向上させるため袖壁の一部又は全部を格子にすることが知られている。袖壁の一部を格子にするものとしては例えば、特許文献１がある。
【０００３】
上記特許文献１に示された従来例は、バルコニー梁５０の上に現場で袖壁５１を立設形成するに当たって、図１０に示すように、バルコニー梁５０の上面の長手方向の一部に袖壁５１を立設しない部分を設け、このバルコニー梁５０の袖壁５１を立設しない部分の上面に現場で捨水切りとなる下笠木５２を介して格子ユニット５３を立設していた。更に、バルコニー梁５０の外面側には幕板(図示せず)を取付けていた。
【０００４】
このような従来例にあっては、バルコニー梁５０の格子ユニット５３を立設した部分のみが格子の外観となるものであり、このように格子ユニット５３を用いたものにおいては、格子の外観となる部分の上下高さはバルコニー梁５０よりも上方位置にのみ限定され、格子ユニット５３の上下高さ以上の上下長さの格子を構成することができず、マンネリ化した外観の格子付きバルコニーしか構成できなかった。
【特許文献１】特開２００３−３５６４号公報
【発明の開示】
【発明が解決しようとする課題】
【０００５】
本発明は上記の従来の問題点に鑑みて発明したものであって、簡単な構成で格子ユニットの上下長さ以上の上下長さの格子の外観となるような構造とすることができると共に上下長さの長い格子の外観としても防水上の問題がなく、従来にない新規な格子を有する格子付きバルコニーを提供することを課題とするものである。
【課題を解決するための手段】
【０００６】
上記課題を解決するために本発明に係る格子付きバルコニーは、バルコニー梁１の外面部に化粧幕板２を取付け、該化粧幕板２の上部にバルコニー梁１側に凹んだ段部３を形成し、格子枠４の外面に格子５を取付けて構成した格子ユニット６をバルコニー梁１の上面部に立設し、化粧幕板２の段部３の外面側にダミー格子８を配設し、格子ユニット６の外面の格子５の下位置に上記ダミー格子８を上下方向に連続させて成ることを特徴とするものである。
【０００７】
このような構成とすることで、格子ユニット６の外面の格子５と上下方向に連続するダミー格子８により上下方向の長さが長く且つ下端がバルコニー梁１の上端よりも下方に位置する格子を構成できるものであり、また、ダミー格子８が化粧幕板２の上部の段部３に配設されることで、ダミー格子８部分から雨水が浸入しても化粧幕板２の上部の段部３により遮られて内部に浸入せず、ダミー格子８を配設した部分における防水上の問題が発生せず、更に、化粧幕板２は段部３よりも下の部位、つまり化粧幕板２の下部（化粧幕板２のバルコニー梁１の上部よりも下方にずれた部位）が外観されるので、格子部分においては化粧幕板２の上下長さが短く、その分、上下長さの長い格子が外部に露出することになって、従来にない新規な構造の格子付きのバルコニーを構成できるものである。
【０００８】
また、格子枠４の下横枠７外面の下端に化粧幕板２の上部の段部３の外面の上端を位置させて格子枠４の下横枠７外面と化粧幕板２の上部の段部３の外面とを面一に連続させ、段部３の外面に配設したダミー格子８の上部を段部３よりも上方に突出させて該ダミー格子８の上部を下横枠７外面に配設することが好ましい。
【０００９】
このような構成とすることで、化粧幕板２の上部の段部３の外面から格子枠４の下横枠７の外面にかけて連続してダミー格子８を配設できて簡単な構成で格子ユニット６の外面の格子５とダミー格子８とを連続させることができる。
【発明の効果】
【００１０】
本発明は、上記のように、格子ユニットの外面の格子と上下方向に連続するダミー格子により上下方向の長さが長く且つ下端がバルコニー梁の上端よりも下方に位置する格子を構成できて、簡単な構成で格子ユニットの上下長さ以上の上下長さの格子の外観となるような構造にできるものであり、しかも、ダミー格子が化粧幕板の上部の段部に配設されることで、バルコニー梁の上部外方に位置するダミー格子部分から雨水が浸入しても化粧幕板の上部の段部により遮られてバルコニー梁の内部に浸入せず、ダミー格子を配設した部分における防水上の問題が発生しないという利点があり、更に、化粧幕板は段部よりも下の部位、つまり化粧幕板の下部（化粧幕板のバルコニー梁の上部よりも下方にずれた部位）が外観されるので、ダミー格子の下方において化粧幕板の上下長さが短く外観され、その分、上下長さの長い格子が外部に露出することになって、従来にない新規な構造の格子付きのバルコニーを構成できるという利点がある。
【発明を実施するための最良の形態】
【００１１】
以下、本発明を添付図面に示す実施形態に基いて説明する。
【００１２】
図３、図４に示すように、バルコニー梁１の外面には長手方向の複数箇所に見切り材９が取付けてある。見切り材９はアルミニウムなどの金属製で、一側又は両側が側方及び上下方向に開口した水平断面コ字状をした嵌め込み凹部１０となっており、添付図面に示す実施形態においては、アルミニウムの下地材１１の外面に上記見切り材９がビスなどで固着してあり、下地材１１をバルコニー梁１に固着してある。見切り材９の側面部の嵌め込み凹部１０は任意の距離をおいて隣あう別の見切り材９の一側面部の嵌め込み凹部１０と対向している。
【００１３】
バルコニー梁１の上面部には格子ユニット６を立設するようになっている。格子ユニット６はバルコニー梁１の上面の全長にわたって立設する場合、あるいは、バルコニー梁１の上面部の一部に袖壁を立設し、袖壁を立設しない部分に格子ユニット６を立設するようになっている。
【００１４】
格子ユニット６は枠形状をした格子枠４の外面に格子５を取付けて構成してある。格子枠４の下横枠７の下面の長手方向の一端部に捨水切り材（図示せず）を取付け、更に下横枠７の下面の長手方向の両端部を除く部分（つまり捨水切り材を取付けていない部分）には複数個の固定金具２７を取付けて構成してある。
【００１５】
上記のような構成の格子ユニット６はバルコニー梁１の上面に固定金具２７を載置してボルト１２により固着することでバルコニー梁１の上面に立設するものである。
【００１６】
図１、図２に示すように、格子ユニット６をバルコニー梁１の上面に立設した状態で、格子枠４の下横枠７の外面側の端部がバルコニー梁１の外面よりも外方に突出している。下横枠７の外面部の下端には下方に向けて垂下片１３が垂設してあり、この垂下片１３の背方側は下方に開口した凹所２８となっている。
【００１７】
化粧幕板２はバルコニー梁１の外面側に取付けられるもので、添付図面に示す実施形態では金属製である。図８に示すように化粧幕板２の上部はバルコニー梁１側に凹んだ段部３となっており、更に、段部３の上端部から断面コ字状をした突出片部１４を突設してある。化粧幕板２の長手方向（左右方向）の両端部には縦枠部１５が設けてある。また、化粧幕板２の下端部から断面逆Ｌ字状をした逆Ｌ状片部１９が下方に向けて突設してあり、縦枠部１５の背面と、断面コ字状をした突出片部１４の縦片の背面と、断面逆Ｌ字状をした逆Ｌ状片部１９の縦片の背面とが同一垂直面上で面一となっている。化粧幕板２の上端面部である突出片部１４の上横片１４ａには全長にわたってエチレンプロピレンゴムのような弾性を有する上面シール材１６が取着してあり、更にこの上面シール材１６の長手方向の両端部は化粧幕板２の長手方向の両端部の上部に沿って折り曲げて取着してあって端部シール材部１６ａとなっており、この端部シール材部１６ａはコ字状をした突出片部１４の長手方向の側端開口部を遮蔽している。また、図９に示すように縦枠部１５の背面には上下方向の全長にわたってエチレンプロピレンゴムのような弾性を有する縦シール材１７が取着してあり、この縦シール材１７の上端は突出片部１４の縦片の背面に取着され上記上面シール材１６まで到っている。化粧幕板２の背面には合板のようなスペーサ部材１８が取着してあり、このスペーサ部材１８は突出片部１４の縦片の背面と同一垂直面上で面一となっている。
【００１８】
上記の構成の化粧幕板２は外面にあらかじめ見切り材９を取付けたバルコニー梁１の外面側の下方から図５の矢印に示すようにバルコニー梁１の外面に沿うように上方に差し込むことで、化粧幕板２の両端部をそれぞれ対向する見切り材９の嵌め込み凹部１０に嵌め込むことができるものであり、化粧幕板２の上端部の突出片部１４の上横片１４ａが格子ユニット６の下横枠７の外面下端の垂下片１３の背方の凹所２８に嵌め込まれると共に上面シール材１６が下横枠７の下面に弾性的に押し付けられるまで嵌め込む。この状態で化粧幕板２をビスなどの固着具で下地材１１などに固着して取付ける。このようにして化粧幕板２を下方からの嵌め込みにより取付けた状態では、図１、図２のように化粧幕板２の上端部と格子ユニット６の下横枠７の下面との間が上面シール材１６により防水され、また、図４のように化粧幕板２の長手方向の両端部の背面の縦シール材１７が上下方向の全長にわたって見切り材９に弾接して見切り材９と化粧幕板２の長手方向の端部との上下方向にわたって防水される。また、端部シール材部１６ａは見切り材９の嵌め込み凹部１０内の上端部を塞ぐもので、これにより毛細管現象などにより嵌め込み凹部１０内を上方に向けて浸入する雨水が嵌め込み凹部１０の上開口から先に進むのが防止される。
【００１９】
上記のように化粧幕板２をバルコニー梁１の外面に取付けてバルコニー梁１の外面の化粧仕上げをすると共に外面側からバルコニー梁１側に雨水が入らないようにするのであるが、化粧幕板２の段部３の上端部の突出片部１４の突出基部に下横枠７の外面下端の垂下片１３の下端が当接又は極わずかな隙間を介して対向していて段部３の外面と、垂下片１３の外面を含む下横枠７の外面とが面一に連続している。
【００２０】
本実施形態では格子ユニット６の外面には上下方向に複数の横格子材５ａを取付けて格子５を構成してあり、上記格子５はこの格子ユニット６の外面の下横枠７よりも上方位置に取付けてある。
【００２１】
段部３の外面側には図６のようにダミー格子８が配設されてビスなどの固着具により固着される。ダミー格子８は一定間隔で上下方向に並ぶ複数の横格子材８ａを背面側において縦桟８ｂで連結したユニット状のものであって、横格子材８ａは上記横格子材５ａと同じものを使用し、複数の横格子材８ａの上下方向のピッチは、複数の横格子材５ａの上下方向のピッチと同じにしてある。このダミー格子８の固着は縦桟８ｂ部分において行われる。ダミー格子８の上部は段部３の上端部よりも上方に突出していてこの上方への突出部分が段部３と面一に上下方向に連続する上記下横枠７の外面に沿って配設され、格子ユニット６の格子５とダミー格子８とが上下方向に連続した格子模様となる。つまり、格子５の横格子材５ａの配設ピッチとダミー格子８の横格子材８ａの配設ピッチが同じで且つ横格子材８ａと横格子材５ａとの間のピッチも同じピッチであり、また、横格子材５ａの外面と横格子材８ａの外面とが同一垂直面に位置している。
【００２２】
したがって、この上下方向に連続した格子ユニット６の格子５とダミー格子８とは図１、図３に示すように上下方向の長さが長い１つの格子として外観され、格子ユニット６の外面の格子５と上下方向に連続するダミー格子８により上下方向の長さが長く且つ下端がバルコニー梁１の上端よりも下方に位置する格子を簡単に構成できるものである。
【００２３】
また、ダミー格子８は化粧幕板２の上部の段部３に配設されるので、ダミー格子８部分から雨水が浸入しても化粧幕板２の上部の段部３により遮られて内部に浸入せず、ダミー格子８を配設した部分における防水上の問題が発生せず、更に、前述のように化粧幕板２の上端面、長手方向の両端部背面等においてシール材で防水しているので、化粧幕板２の周囲からも雨水の浸入が防止できるものである。
【００２４】
バルコニー梁１の外面の下端部には更に化粧下幕板２１が配設される。化粧下幕板２１は図８、図９のように長手方向の両端部の下縦枠部２２の上面にエチレンプロピレンゴムのような弾性を有する上面シール材２３を取付けるとともに下縦枠部２２の背面に上下方向にわたってエチレンプロピレンゴムのような弾性を有する縦シール材２４を取付け、化粧下幕板２１の下端部に断面コ字状をした軒先見切り部２５を設けて構成してある。
【００２５】
この化粧下幕板２１を図７に示すようにその両端部をそれぞれ対向する見切り材９の嵌め込み凹部１０の下部に嵌め込み、上面シール材２３を化粧幕板２の縦枠部１５の下端面に弾性的に押し付けた状態で化粧下幕板２１をビスなどの固着具で下地材１１などに固着して取付ける。このようにして化粧下幕板２１を取付けた状態では、化粧下幕板２１の下縦枠部２２の上面と化粧幕板２の縦枠部１５の下面との間が上面シール材２３により防水され、また、化粧下幕板２１の長手方向の両端部の背面の縦シール材２４が上下方向の全長にわたって見切り材９に弾接して見切り材９と化粧下幕板２１の長手方向の端部との上下方向にわたって防水される。
【００２６】
上記のようにして取付けられる化粧下幕板２１の下端部の断面コ字状をした軒先見切り部２５内には図１に示すように軒天井２６の軒先側端部が配置されて軒天井２６の軒先側端部が軒先見切り部２５により覆われる。
【図面の簡単な説明】
【００２７】
【図１】本発明の格子付きバルコニーを示し、図３のＸ−Ｘ線の一部破断した縦断面図である。
【図２】同上の要部拡大断面図である。
【図３】同上の正面図である。
【図４】同上の平断面図である。
【図５】同上の化粧幕板を下方からの差し込みで取付けることを示す説明図のための斜視図である。
【図６】同上のダミー格子の取付けを示す説明のための斜視図である。
【図７】同上の化粧下幕板を下方からの差し込みで取付けることを説明するための斜視図である。
【図８】同上に用いる化粧幕板及び化粧下幕板の正面から見た一部省略分解斜視図である。
【図９】同上に用いる化粧幕板及び化粧下幕板の背面から見た一部省略分解斜視図である。
【図１０】従来例を示す分解斜視図である。
【符号の説明】
【００２８】
１  バルコニー梁
２  化粧幕板
３  段部
４  格子枠
５  格子
６  格子ユニット
７  下横枠
８  ダミー格子  
【図１】
2006037682.tif 000003
【図２】
2006037682.tif 000004
【図３】
2006037682.tif 000005
【図４】
2006037682.tif 000006
【図５】
2006037682.tif 000007
【図６】
2006037682.tif 000008
【図７】
2006037682.tif 000009
【図８】
2006037682.tif 000010
【図９】
2006037682.tif 000011
【図１０】
2006037682.tif 000012